(57)【要約】【課題】  接続端子を備える基板を着脱可能に保持し当該基板を挿入すると接続ピンが当該接続端子に当接し電気的に接続するコネクタを備える電子機器において、拡張基板の下端にバリが生じていても、接続ピンが変形してしまうことを防止することができる電子機器を提供する。【解決手段】  電子回路と、側面に接続端子を備える基板と、凹部を備え凸部を側面に備え基板の接続端子が挿入された場合屈曲部が接続端子へ当接し電気的に接続する接続ピンを固定するコネクタと、開口する直方体を成し接続端子と前記コネクタとの間に配設され接続端子が貫通する孔を有し側面に爪部を備える係合部材とを備え、係合部材は、凸部に爪部が係合した場合接続ピンの一端を押圧する突出部を備え、基板は、コネクタへ挿入することにより係合部材を押圧する固着部材を備える。【選択図】      図６
2006085910.tif 000002
【特許請求の範囲】
【請求項１】
電子回路と、薄い平板を成し側面の端部に接続端子を備える基板と、直方体を成し垂直方向に開口する凹部を備え側面に水平方向へ突出する凸部を備え前記基板の接続端子が挿入された場合中央部に形成された屈曲部が前記接続端子へ当接し電気的に接続する接続ピンを当該凹部に固定するコネクタと、前記コネクタと対向する方向に開口する直方体を成し前記接続端子と前記コネクタとの間に配設され前記コネクタと対向する面に前記接続端子が貫通する孔を有し側面に前記凸部と係合する爪部を備える係合部材とを備え、
前記係合部材は、前記凸部に前記爪部が係合した場合前記接続ピンの一端を前記屈曲部の方向へ押圧する突出部を備え、
前記基板は、前記接続端子を前記コネクタへ挿入することにより前記係合部材と当接し前記係合部材を前記コネクタの方向へ押圧する固着部材を備えることを特徴とする電子機器。
【発明の詳細な説明】
【技術分野】
【０００１】
本発明は、接続端子を備える基板を着脱可能に保持し当該基板を挿入すると当該接続端子と電気的に接続するコネクタを備える電子機器に関する。
【背景技術】
【０００２】
従来の電子機器として、パーソナルコンピュータ（Ｐｅｒｓｏｎａｌ Ｃｏｍｐｕｔｅｒ）（以下、パソコンという）を例に挙げ説明する。
従来のパソコンでは、データを記憶するメモリまたはデータ処理を行うマイクロコンピュータが取付けられた基板等（以下、拡張基板という）を着脱可能なコネクタを備え、当該コネクタに拡張基板を装着することにより、パソコンの性能を拡張することができる。
【０００３】
図７は、従来のパソコンを示す斜視図である。
パソコン２００は、筐体１０、マザーボード３、拡張基板７、図示しないキーボード、マウス及びハードディスクドライブ（ＨＤＤ：Ｈａｒｄ Ｄｉｓｋ Ｄｒｉｖｅ）等を備える。マザーボード３は、ＣＰＵ（Ｃｅｎｔｒａｌ Ｐｒｏｃｅｓｓｉｎｇ Ｕｎｉｔ）から成る制御部４及び複数のコネクタ５００を備える。コネクタ５００は、直方体を成し、上方へ開口する凹部５０１と後述する接続ピンを備える。
【０００４】
パソコン２００は、キーボードまたはマウスが操作されると、制御部４がその操作指示を受け、予めハードディスクドライブに記録されている文章作成プログラムや表計算プログラム等を実行するよう制御をする。
【０００５】
拡張基板７は、薄板状の部材であり、接続端子７０１及びメモリ７０２を備える。接続端子７０１は、薄い導電板から成り、拡張基板７の下部に設けられている。接続端子７０１は、図示しない導線によってメモリ７０２と電気的に接続している。
【０００６】
図８は、コネクタ５００と拡張基板７を示す図で、図８（ａ）は拡張基板７をコネクタ５００に挿入する状態を示す断面図、図８（ｂ）は図６（ａ）の状態から拡張基板７をコネクタ５００に装着した状態を示す断面図である。
【０００７】
接続ピン６００は、くの字状の鋼材から成り、凹部５０１の略中央に対して左右対称となる位置にそれぞれ配置される。接続ピン６００の上部は、凹部５０１の内壁に形成された図示しない孔に挿入され、接着剤により固定される。接続ピン６００は、中央部に凹部５０１の内側に屈曲して突出した屈曲部６０１を備える。接続ピン６００の下部は、凹部５０１の内壁に形成された図示しない孔に挿入され、コネクタ５００の下面から突出する。
【０００８】
マザーボード３は、貫通した孔３０１を備える。孔３０１は、図示しない導線によって制御部４と電気的に接続している。
【０００９】
コネクタ５００の下面から突出した接続ピン６００は、孔３０１へ挿入され、半田付けによりマザーボード３に固定される。図中、右側の屈曲部６０１から左側の屈曲部６０１までの幅は、接続端子７０１の幅より小さい。
【００１０】
拡張基板７をコネクタ５に装着する場合は、図８（ａ）に示すように、コネクタ５００の上方から凹部５０１に接続端子７０１を挿入する。接続ピン６００は、図８（ｂ）に示すように、拡張基板７が挿入されることによって、屈曲部６０１が接続端子７０１と当接し、その弾性により接続端子７０１を狭持する。このとき、拡張基板７は、接続端子７０１が屈曲部６０１に当接することにより、接続ピン６００を介してメモリ７０２とマザーボード３の制御部４とが電気的に接続する。パソコン２００は、拡張基板７をコネクタ５に装着することによって、メモリ７０１を用いた信号処理を行う。
【００１１】
マザーボード３に装着した拡張基板７を離脱させる場合は、図８（ｂ）に示す状態から拡張基板７を上方へ引き上げる。
【００１２】
以上の構成により、従来のパソコン２００は、拡張基板７を着脱可能に保持することができる。
【００１３】
従来のパソコン２００は、コネクタ５００へ装着する拡張基板７を他の拡張基板へ変更し、変更した他の拡張基板の厚さが変更前の拡張基板７の厚さよりも薄くなった場合、接続端子７０１を保持する接続ピン６００の狭持力が小さくなり、拡張基板７と接続ピン６００との間で接続不良が発生することがある。拡張基板７と接続ピン６００との間で接続不良が発生すると、パソコン２００の動作に不具合が発生してしまう。
【００１４】
このため、図中、右側の接続ピンと左側の接続ピンの位置をずらして配設することにより、右側の屈曲部から左側の屈曲部までの幅を小さくした場合でも左右の接続ピンが接触することを防止し、右側の屈曲部から左側の屈曲部までの幅を小さくすることで接続ピンが拡張基板を狭持する力を大きくすることができる技術が知られている（例えば、特許文献１参照）。
【００１５】
【特許文献１】特開平９−１２９３２５号公報
【発明の開示】
【発明が解決しようとする課題】
【００１６】
特許文献１に開示された技術を用いることにより、コネクタ５００へ装着する拡張基板７を他の拡張基板へ変更し、変更した他の拡張基板の厚さが変更前の拡張基板７の厚さよりも薄くなった場合でも、接続端子７０１を保持する接続ピン６００の狭持力を確保することができ、拡張基板７と接続ピン６００との間で接続不良が発生することを防止することができる。
【００１７】
しかしながら、従来のパソコンは、拡張基板を製造する過程において接続端子の下端にバリが発生することがある。このため、接続ピン６００が拡張基板７を保持する狭持力を高めるために左右の屈曲部６０１間の距離を小さくすると、拡張基板７をコネクタ５００へ挿入した場合、接続端子７０１の下端に生じたバリが接続ピン６００の屈曲部６０１に引っ掛かり、このバリに引っ掛かった屈曲部６０１が下方に押し曲げられ、接続ピン６００が変形してしまうことがある。接続ピン６００が変形してしまうと、接続ピン６００が接続端子７０１と当接せず、接続端子７０１と接続ピン６００との間に接続不良が発生し、パソコン２００の動作に不具合が発生してしまう。このような接続端子７０１の下端に生じたバリがによって接続ピン６００が変形してしまうことを防止するために、接続ピン６００の狭持力を弱めてしまうと、拡張基板７を他の拡張基板へ交換し、交換した他の拡張基板の厚さが変更前の拡張基板７の厚さよりも薄くなった場合、接続端子７０１を保持する接続ピン６００の狭持力を確保することが困難となる。
【００１８】
拡張基板７をコネクタ５００に装着する過程において、接続端子７０１の下端のバリによって接続ピン６００が下方へ押圧され、変形してしまうのを防止するために、拡張基板７の下端を研磨し、接続端子７０１の下端に生じたバリを除去することが考えられる。しかし、拡張基板７の下端を研磨すると、この拡張基板７の下端から研磨屑が生じ、この研磨屑がコネクタ内部に侵入し、接続ピン６００と接続端子７０１との間に介在し、接続不良が生じてしまう。
【００１９】
本発明は、接続端子を備える基板を着脱可能に保持し当該基板を挿入すると接続ピンが当該接続端子に当接し電気的に接続するコネクタを備える電子機器において、拡張基板の下端にバリが生じていても、接続ピンが変形してしまうことを防止することができる電子機器を提供することを目的とする。
【課題を解決するための手段】
【００２０】
本願の請求項１記載の発明は、電子機器において、電子回路と、薄い平板を成し側面の端部に接続端子を備える基板と、直方体を成し垂直方向に開口する凹部を備え側面に水平方向へ突出する凸部を備え前記基板の接続端子が挿入された場合中央部に形成された屈曲部が前記接続端子へ当接し電気的に接続する接続ピンを当該凹部に固定するコネクタと、前記コネクタと対向する方向に開口する直方体を成し前記接続端子と前記コネクタとの間に配設され前記コネクタと対向する面に前記接続端子が貫通する孔を有し側面に前記凸部と係合する爪部を備える係合部材とを備え、前記係合部材は、前記凸部に前記爪部が係合した場合前記接続ピンの一端を前記屈曲部の方向へ押圧する突出部を備え、前記基板は、前記接続端子を前記コネクタへ挿入することにより前記係合部材と当接し前記係合部材を前記コネクタの方向へ押圧する固着部材を備えることを特徴とする。
【発明の効果】
【００２１】
本発明の電子機器によれば、接続端子を備える基板を着脱可能に保持し当該基板を挿入すると接続ピンが当該接続端子に当接し電気的に接続するコネクタを備える電子機器において、拡張基板の下端にバリが生じていても、接続ピンが変形してしまうことを防止することができる電子機器を提供することができる。
【発明を実施するための最良の形態】
【００２２】
本発明の実施の形態を図面を参照して説明する。なお、従来技術で示した構成要素と同一の部分については同符号を用いる。
【００２３】
本発明の電子機器の一実施例として、パーソナルコンピュータ（以下、パソコンという）を例に挙げ説明する。
【００２４】
図１は、本発明の一実施例のパソコンを示す斜視図である。
パソコン２０は、筐体１０の内部にマザーボード３、拡張基板７、係合部材８、図示しないキーボード、マウス及びハードディスクドライブを備える。マザーボード３は、ＣＰＵから成る制御部４及び複数のコネクタ５を備える。コネクタ５は、直方体を成し、後述する接続ピンを備える。係合部材８は、下方へ開口する直方体を成し、上下に開口する孔８０１を備える。
【００２５】
パソコン２０は、キーボードまたはマウスが操作されると、制御部４がその操作指示を受け、予めハードディスクドライブに記録されている文章作成プログラムや表計算プログラム等を実行するよう制御をする。
【００２６】
拡張基板７は、薄板状の部材であり、接続端子７０１及びメモリ７０２を備える。接続端子７０１は、薄い導電板から成り、拡張基板７の下部に設けられている。接続端子７０１は、図示しない導線によってメモリ７０２と電気的に接続している。
【００２７】
パソコン２０は、拡張基板７をコネクタ５に装着することによって、メモリ７０１を用いた信号処理を行う。
【００２８】
図２は、本実施例のコネクタ５を示す図で、図２（ａ）は断面図、図２（ｂ）は側面図である。コネクタ５は、内部に接続ピン６を備える。
【００２９】
コネクタ５は、上方に開口する凹部５０１を備える。コネクタ５は、上面の略中央に孔５０２を備え、図２（ａ）に示す当該孔５０２の左側および右側の位置にはそれぞれ孔５０３を備える。コネクタ５は、前面及び背面にそれぞれ水平方向へ突出する凸部５０４を備える。凸部５０４は、上面に傾斜を成す傾斜部５０５を備える。
【００３０】
接続ピン６は、くの字状の鋼材から成り、凹部５０１の略中央に対して左右対称となる位置にそれぞれ配置される。接続ピン６は、中央部に凹部５０１の内側に屈曲して突出した屈曲部６０１を備える。接続ピン６の下部は、凹部５０１の内壁に形成された図示しない孔に挿入され、コネクタ５の下面から突出する。接続ピン６の上端には、上部が外側へ略直角に屈曲した上端部６０２を備える。上端部６０２は、孔５０３の下方となる位置に配設される。
【００３１】
マザーボード３は、貫通した孔３０１を備える。孔３０１は、図示しない導線によって制御部と電気的に接続している。コネクタ５の下面から突出した接続ピン６は、孔３０１へ挿入され、半田付けによりマザーボード３に固定される。
【００３２】
孔５０２の左右方向の幅及び前後方向の幅は、図１に示す接続端子７０１の幅より大きい。右側の屈曲部６０１から左側の屈曲部６０１までの幅は、接続端子７０１の幅より僅かに大きい。
【００３３】
図３は、本実施例の係合部材８を示す図で、図３（ａ）は断面図、図３（ｂ）は側面図である。
孔８０１の左右方向の幅及び前後方向の幅は、図１に示す接続端子７０１の幅より大きい。係合部材８は、孔８０１の左右に下方へ突出する突出部８０２を備える。係合部材８は、前面及び背面の側壁にそれぞれ内側へ突出した爪部８０３を備える。
【００３４】
係合部材８の左右方向の内壁の幅及び前後方向の内壁の幅は、図２に示すコネクタ５の左右方向の幅及び前後方向の幅より大きい。突出部８０２は、係合部材８をコネクタ５の上方へ被せた場合にコネクタ５の孔５０３に挿入する位置に配設される。爪部８０３は、係合部材８をコネクタ５の上方へ被せたとき、コネクタ５の凸部５０４と係合する位置に配設される。突出部８０２は、係合部材８をコネクタ５の上方へ被せ、爪部８０３が凸部５０４に係合した場合、下端が接続ピン６の上端部６０２を下方へ押圧する高さに配設される。
【００３５】
図４は、コネクタ５に拡張基板７を挿入する状態を示す図で、図４（ａ）は断面図、図４（ｂ）は側面図である。
拡張基板７をコネクタ５に装着する場合は、先ず、コネクタ５の上面に係合部材８を被せる。次に、係合部材８の上方から孔８０１に接続端子７０１を挿入する。このとき、図４（ｂ）に示すように、爪部８０３は、凸部５０４の傾斜部５０５の表面に当接した状態となる。
【００３６】
図５は、図４の状態から孔８０１へ拡張基板７を挿入した状態を示す図で、図５（ａ）は断面図、図５（ｂ）は側面図である。
図５（ａ）に示すように、拡張基板７が挿入されることによって、接続端子７０１は、左右の接続ピン６の間を通過する。図５（ａ）に示すように、係合部材８は、拡張基板７に固着された固着部９が上面に当接した状態となる。この状態から更に拡張基板７が下方へ挿入されると、図５（ｂ）に示すように、係合部材８は、固着部９が上面を下方に押圧する力によって爪部８０３の内壁が傾斜部５０５の表面を摺動し爪部８０３が外側へ撓んだ状態で下方へ移動する。図５（ａ）に示すように、係合部材８が下方へ移動することによって、突出部８０２の下端は、接続ピン６の上端部６０２を下方へ押圧する。
【００３７】
図６は、図５の状態から拡張基板７を更に下方へ挿入した状態を示す図で、図６（ａ）は断面図、図６（ｂ）は側面図である。
図６（ｂ）に示すように、拡張基板７が更に下方へ挿入されると、係合部材８は、固着部９が上面を下方に押圧する力によって更に下方へ移動し、爪部８０３が凸部５０４と係合した状態となる。このとき、図６（ａ）に示すように、突出部８０２は、接続ピン６の上端部６０２を更に下方へ押圧する。接続ピン６は、上端部６０２が下方へ押圧されることにより弾性変形し、屈曲部６０１が凹部５０１の中央方向へ屈曲する。
【００３８】
接続ピン６は、図６（ａ）に示すように、屈曲部６０１が凹部５０１の中央方向へ屈曲することによって屈曲部６０１が接続端子７０１と当接し、その弾性により接続端子７０１を狭持する。これにより、拡張基板７は、コネクタ５に装着された状態となる。
【００３９】
コネクタ５から拡張基板７を離脱させる場合は、図６（ｂ）に示す状態から凸部５０４に係合した爪部８０３の下端とコネクタ５の側面との間に細い金具を挿入し、この金具を外側へ引き出して爪部８０３と凸部５０４との係合を解除させ、係合部材８を上方へ移動させた後、拡張基板７を上方へ引き上げる。コネクタ５から拡張基板７を離脱させる他の手段としては、例えば、爪部８０３の外側に水平方向へ突出する突起を備え、この突起を指で上方へ引き上げることによって爪部８０３と凸部５０４との係合を解除させるようにしても良い。
【００４０】
本実施例のパソコン２０は、拡張基板７をコネクタ５へ挿入する場合、接続端子７０１が左右の接続ピン６の間を通過した後に、上端部６０２が下方へ押圧され移動することによって接続ピン６が接続端子７０１を狭持する。これにより、接続端子７０１の下端にバリが生じてした場合でも、拡張基板７をコネクタ５へ挿入した際に、接続端子の下端に生じたバリが接続ピンの屈曲部を下方へ押圧してしまい、接続ピン６が変形してしまうことを防止することができる。このように、接続ピン６が拡張基板７を挿入する過程で変形する虞がないことから、接続ピン６が接続端子７０１を狭持した際の狭持力を容易に高める構成とすることができる。
【００４１】
本実施例のパソコン２０は、拡張基板７を挿入する過程において、突出部８０２が接続ピン６の上端部６０２を下方へ押圧し、上端部６０２が下方へ押圧されることにより接続ピン６の屈曲部６０１が屈曲して接続端子７０１を狭持するので、例えば、コネクタ５の上面に被せる係合部材８を突出部８０２の突出量が異なる他の係合部材に交換することによって、接続ピン６が接続端子７０１を狭持する狭持力を容易に変化させることができる。このことにより、厚みの異なる拡張基板をコネクタへ装着する場合、コネクタを分解して接続ピン６を交換したり、マザーボードに固定されたコネクタを交換する必要がない。
【図面の簡単な説明】
【００４２】
【図１】従来のパソコンを示す斜視図。
【図２】本実施例のコネクタ５を示す図で、図２（ａ）は断面図、図２（ｂ）は側面図。
【図３】本実施例の係合部材８を示す図で、図３（ａ）は断面図、図３（ｂ）は側面図。
【図４】コネクタ５に拡張基板７を挿入する状態を示す図で、図４（ａ）は断面図、図４（ｂ）は側面図。
【図５】図４の状態から孔８０１へ拡張基板７を挿入した状態を示す図で、図５（ａ）は断面図、図５（ｂ）は側面図。
【図６】図５の状態から拡張基板７を更に下方へ挿入した状態を示す図で、図６（ａ）は断面図、図６（ｂ）は側面図。
【図７】従来のパソコンを示す斜視図。
【図８】コネクタ５００と拡張基板７を示す図で、図８（ａ）は拡張基板７をコネクタ５００に挿入する状態を示す断面図、図８（ｂ）は図６（ａ）の状態から拡張基板７をコネクタ５００に装着した状態を示す断面図。
【符号の説明】
【００４３】
３  マザーボード、３０１  孔３０１、４  制御部、
５  コネクタ、５０１  凹部、５０２  孔、５０３  孔、５０４  凸部、
５０５  傾斜部
６  接続ピン、６０１  屈曲部、６０２  上端部、
７  拡張基板、７０１  接続端子、７０２  メモリ、
８  係合部材、８０１  孔、８０２  突出部、８０３  爪部、
９  固着部、１０  筐体、２０  パソコン、
２００  パソコン、５００  コネクタ、６００  接続ピン
【図１】
2006085910.tif 000003
【図２】
2006085910.tif 000004
【図３】
2006085910.tif 000005
【図４】
2006085910.tif 000006
【図５】
2006085910.tif 000007
【図６】
2006085910.tif 000008
【図７】
2006085910.tif 000009
【図８】
2006085910.tif 000010